(57)【要約】【課題】二つ折り可能な本体部を有する利便性の良い電子機器を提供することを課題とする。【解決手段】電子機器（プレイヤー１）は、第一部位（表示部１０）と第二部位（支持部２０）とを二つ折り可能に接続した本体部２と、この本体部２を操作するリモコン４０とを備える。二つ折り保持手段５０は、二つ折り状態の本体部２に対してリモコン４０を装着することにより本体部２を二つ折り状態に保持する。二つ折り保持手段５０は、開閉側縁部３２における表示部１０と支持部２０とに接続することにより本体部２を二つ折り状態に保持してもよい。【選択図】図１
2012198952.tif 000002
【特許請求の範囲】
【請求項１】
第一部位と第二部位とを二つ折り可能に接続した電子機器本体部と、この電子機器本体部を操作するリモコンとを備える電子機器において、
二つ折り状態の前記電子機器本体部に対して前記リモコンが装着されることにより該電子機器本体部を二つ折り状態に保持する二つ折り保持手段を備えることを特徴とする電子機器。
【請求項２】
前記電子機器本体部は、前記第一部位と前記第二部位との二つ折りの回転軸となる軸側縁部と、該軸側縁部に対向した開閉側縁部とを有し、
前記二つ折り保持手段は、前記開閉側縁部における前記第一部位と前記第二部位とに接続することにより前記電子機器本体部を二つ折り状態に保持することを特徴とする請求項１に記載の電子機器。
【請求項３】
前記二つ折り保持手段は、前記二つ折り状態の電子機器本体部における前記第一部位と前記第二部位とにスライド可能に接続することにより該電子機器本体部を二つ折り状態に保持することを特徴とする請求項１又は請求項２に記載の電子機器。
【請求項４】
前記二つ折り保持手段は、前記二つ折り状態の電子機器本体部と前記リモコンとをスライド可能に連結することを特徴とする請求項３に記載の電子機器。
【請求項５】
前記二つ折り保持手段は、前記リモコンを収容するリモコン収容部を有し、該リモコン収容部に前記リモコンを収容した状態で前記二つ折り状態の電子機器本体部における前記第一部位と前記第二部位とに接続することにより該電子機器本体部を二つ折り状態に保持することを特徴とする請求項１〜請求項４のいずれか一項に記載の電子機器。
【請求項６】
前記リモコンは、前記電子機器本体部を操作するための操作面を有し、前記二つ折り状態の電子機器本体部に装着されたときに前記操作面が隠れることを特徴とする請求項１〜請求項５のいずれか一項に記載の電子機器。
【請求項７】
前記リモコンは、前記操作面を前記二つ折り状態の電子機器本体部に向けて装着されることを特徴とする請求項６に記載の電子機器。
【請求項８】
第一部位と第二部位とを二つ折り可能に接続した電子機器本体部と、この電子機器本体部を操作するリモコンとを備える電子機器のためのリモコン装着方法において、
二つ折り状態の前記電子機器本体部に対して前記リモコンを装着することにより該電子機器本体部を二つ折り状態に保持することを特徴とするリモコン装着方法。
【請求項９】
表示部と支持部とを二つ折り可能に接続した本体部と、この本体部を操作するリモコンとを備え、前記本体部が前記表示部と前記支持部との二つ折りの回転軸となる軸側縁部と該軸側縁部に対向した開閉側縁部とを有する表示装置において、
二つ折り状態の前記本体部の開閉側縁部に対して前記リモコンが装着され該開閉側縁部における前記表示部と前記支持部とにスライド可能に接続することにより前記本体部を二つ折り状態に保持する二つ折り保持手段を備えることを特徴とする表示装置。
【発明の詳細な説明】
【技術分野】
【０００１】
本発明は、第一部位と第二部位とを二つ折り可能に接続した本体部及びリモコンを備える電子機器及びそのリモコン装着方法、並びに、表示装置に関する。
【背景技術】
【０００２】
ＤＶＤ（Digital Versatile Disk）プレイヤーといった再生装置、ＤＶＤレコーダーといった記録再生装置、等の装置は、通常、リモコン（リモートコントロール装置）が付属している。このリモコンを装置本体に対して着脱可能に装着することも行われている。
【０００３】
特許文献１に記載のマルチメディアプレーヤは、本体及びリモコン手段を含み、該リモコン手段に幾つかのファンクションボタンが形成され、該本体に収容部及び少なくとも一つの受信素子が形成されていて、前記リモコン手段は着脱可能に前記収容部内に取付けけられている。
特許文献２に記載のリモコン付きプレイヤーは、プレイヤーの天板にリモコンと同形状の凹部が形成されており、この凹部に収納されたリモコンがマグネットでプレイヤーに吸着される。
特許文献３に記載のカセットレコーダは、リモコン送信機を本体に着脱自在に装着している。
特許文献４に記載のビデオテープレコーダは、リモコンを本体に着脱自在に装着している。
特許文献５に記載の撮像機器は、撮像機器のカセット収納部に設けられたカセット蓋体にリモコンをスライド収納している。
【先行技術文献】
【特許文献】
【０００４】
【特許文献１】特開２００６−５０６０２号公報
【特許文献２】特開２００３−３６６６７号公報
【特許文献３】実開昭５８−３７２４６号公報
【特許文献４】実開昭６２−１４０７８４号公報
【特許文献５】特開平５−３４７７２７号公報
【発明の概要】
【発明が解決しようとする課題】
【０００５】
しかし、二つ折り可能な本体部に対してリモコンを装着するのに好適な技術が無い。
【０００６】
以上を鑑み、本発明は、二つ折り可能な本体部を有する利便性の良い電子機器を提供する目的を有している。
【課題を解決するための手段】
【０００７】
上記目的を達成するため、本発明は、第一部位と第二部位とを二つ折り可能に接続した電子機器本体部と、この電子機器本体部を操作するリモコンとを備える電子機器において、
二つ折り状態の前記電子機器本体部に対して前記リモコンが装着されることにより該電子機器本体部を二つ折り状態に保持する二つ折り保持手段を備える態様を有している。
【０００８】
また、本発明は、第一部位と第二部位とを二つ折り可能に接続した電子機器本体部と、この電子機器本体部を操作するリモコンとを備える電子機器のためのリモコン装着方法において、
二つ折り状態の前記電子機器本体部に対して前記リモコンを装着することにより該電子機器本体部を二つ折り状態に保持する態様も有している。
【発明の効果】
【０００９】
請求項１、請求項８に係る発明によれば、二つ折り可能な本体部を有する利便性の良い電子機器を提供することができる。
請求項２に係る発明では、二つ折り可能な電子機器本体部が不用意に開くことをより確実に抑制することができる。
請求項３に係る発明では、簡易な手段で二つ折り可能な電子機器本体部が不用意に開くことを抑制することができる。
請求項４に係る発明では、さらに簡易な手段で二つ折り可能な電子機器本体部が不用意に開くことを抑制することができる。
請求項５、請求項６に係る発明では、リモコンが不用意に操作されることを抑制することができる。
請求項７に係る発明では、簡易な構成でリモコンが不用意に操作されることを抑制することができる。
請求項９に係る発明によれば、二つ折り可能な本体部を有する利便性の良い表示装置を提供することができる。
【図面の簡単な説明】
【００１０】
【図１】（ａ）は本発明の一実施形態に係る電子機器（１）の外観を例示する斜視図、（ｂ）は電子機器本体部（２）を開いた状態を例示する斜視図、である。
【図２】電子機器（１）の側面を例示する側面図である。
【図３】（ａ）はリモコン４０の操作面４１を例示する図、（ｂ）はリモコン４０の裏面４０ｂを例示する図、である。
【図４】（ａ）は連結部材５４の外観を例示する斜視図、（ｂ）は連結部材５４を例示する側面図、である。
【図５】（ａ）は変形例に係るリモコン４０の外観を示す斜視図、（ｂ）は電子機器（１）の側面を示す側面図、である。
【図６】（ａ）は変形例に係る電子機器（１）の外観を示す斜視図、（ｂ）はリモコン４０を示す側面図、である。
【図７】電子機器（１）の要部を示す側面図である。
【図８】（ａ）は変形例に係る電子機器（１）の外観を示す斜視図、（ｂ）及び（ｃ）はリモコン４０を示す側面図、である。
【図９】電子機器（１）の要部を示す側面図である。
【図１０】（ａ）は変形例に係る電子機器（１）の外観を示す斜視図、（ｂ）は電子機器（１）の要部を示す側面図である。
【図１１】カバー部材５６の要部を示す斜視図である。
【図１２】変形例に係る電子機器（１）の外観を示す斜視図である。
【発明を実施するための形態】
【００１１】
（１）電子機器の概略：
図１（ａ）に例示する電子機器（１）は、本体部（電子機器本体部）２とリモコン（リモートコントロール装置）４０とを備える。図１（ｂ）に例示するように、本体部２は、表示部（第一部位）１０と支持部（第二部位）２０とを二つ折り可能に接続している。リモコン４０は、本体部２を操作するための装置である。
【００１２】
本発明を適用可能な電子機器には、記録再生装置を含む再生装置、テレビジョンといった受信装置、テレビジョンが一体化された再生装置、ディスプレイ、これらの組合せ、等が含まれる。再生装置には、ＤＶＤプレイヤーやＢＤ（Blue-ray Disc）プレイヤーやＣＤ（Compact Disc）といった光ディスク再生装置、ＤＶＤレコーダーやＢＤレコーダーやＣＤレコーダーとおった光ディスク記録再生装置、ＩＣ（集積回路）レコーダー、ビデオデッキ、これらの組合せ、等が含まれる。
本発明を適用可能な表示装置は、表示部を備えていればよく、上述した電子機器が含まれる。図１（ａ）に例示する表示装置は、ポータブルＤＶＤプレイヤーといったプレイヤー１であるものとする。
【００１３】
上記プレイヤー１に例示される電子機器は、二つ折り状態の前記電子機器本体部（２）に対して前記リモコン４０が装着されることにより該電子機器本体部（２）を二つ折り状態に保持する二つ折り保持手段５０を備える態様を有する。本態様は、リモコン４０の装着に起因して電子機器本体部（２）が二つ折り状態に保持されるので、二つ折り可能な電子機器本体部（２）が不用意に開くことを抑制することができ、利便性が向上する。
ここで、二つ折り保持手段５０は、電子機器本体部やリモコンとは別の接続部材で構成されてもよいし、電子機器本体部とリモコンとにそれぞれ形成された構造で構成されてもよい。
【００１４】
前記電子機器本体部（２）は、前記第一部位（１０）と前記第二部位（２０）との二つ折りの回転軸ＡＸ１となる軸側縁部３１と、該軸側縁部３１に対向した開閉側縁部３２とを有していてもよい。
前記二つ折り保持手段５０は、前記開閉側縁部３２における前記第一部位（１０）と前記第二部位（２０）とに接続することにより前記電子機器本体部（２）を二つ折り状態に保持してもよい。本態様は、二つ折り可能な電子機器本体部（２）が不用意に開くことをより確実に抑制することができる。
【００１５】
前記二つ折り保持手段５０は、前記二つ折り状態の電子機器本体部（２）における前記第一部位（１０）と前記第二部位（２０）とにスライド可能に接続することにより該電子機器本体部（２）を二つ折り状態に保持してもよい。本態様は、簡易な手段で二つ折り可能な電子機器本体部（２）が不用意に開くことを抑制することができる。
ここで、二つ折り保持手段５０は、リモコンとは別の接続部材に設けた第一及び第二の接続部材側スライド構造と第一部位及び第二部位に設けた第一及び第二の本体部側スライド構造とで構成されてもよいし、該第一及び第二の本体部側スライド構造とリモコンに設けた第一及び第二のリモコン側スライド構造とで構成されてもよい。
【００１６】
前記二つ折り保持手段５０は、前記二つ折り状態の電子機器本体部（２）と前記リモコン４０とをスライド可能に連結してもよい。本態様は、さらに簡易な手段で二つ折り可能な電子機器本体部（２）が不用意に開くことを抑制することができる。
【００１７】
前記二つ折り保持手段５０は、前記リモコン４０を収容するリモコン収容部５７を有し、該リモコン収容部５７に前記リモコン４０を収容した状態で前記二つ折り状態の電子機器本体部（２）における前記第一部位（１０）と前記第二部位（２０）とに接続することにより該電子機器本体部（２）を二つ折り状態に保持してもよい。本態様は、リモコン４０が不用意に操作されることを抑制することができる。
【００１８】
前記リモコン４０は、前記電子機器本体部（２）を操作するための操作面４１を有し、前記二つ折り状態の電子機器本体部（２）に装着されたときに前記操作面４１が隠れるようにしてもよい。本態様も、リモコン４０が不用意に操作されることを抑制することができる。
【００１９】
前記リモコン４０は、前記操作面４１を前記二つ折り状態の電子機器本体部（２）に向けて装着されてもよい。本態様は、簡易な構成でリモコン４０が不用意に操作されることを抑制することができる。
【００２０】
本技術の目的の一つは、ポータブルプレーヤー／レコーダーを持ち運ぶ際に、本体にはめ込んでリモコンを同時に持ち運べるようにすることにある。電子機器をリモコンスライド収納式ポータブルプレーヤー／レコーダーとすることにより、リモコンを、わざわざ別に持ち運ばなくても良くなる。リモコンで前面を固定することにより、不用意に開くことを防ぐことができる。また、使用せず保管しておく際にリモコンを失う可能性が低くなる。例えば、本体前面にリモコンをスライド式で収納できる箇所を設ける事で、別途リモコンを持ち運ぶ手間が省ける。
【００２１】
（２）電子機器の構成：
図１（ａ），（ｂ）及び図２に例示する本体部２は、二つ折りの動作を実現させるヒンジ機構３０を背面の軸側縁部３１に有している。軸側縁部３１は、表示部１０と支持部２０との二つ折りの回転軸ＡＸ１となる。この軸側縁部３１に対向する正面の開閉側縁部３２は、二つ折りの開閉操作を行う部位とされるとともに、リモコン４０に接続された連結部材５４により二つ折り状態に保持される部位とされている。
ヒンジ機構３０は、回転軸ＡＸ１を中心として表示部１０と支持部２０とを相対的に回動させるのみならず、本体部２が開いた状態において回転軸ＡＸ１と直交するなど交わる方向に表示部１０を回動させる機構でもよい。
【００２２】
本体部２の表示部１０は、ＤＶＤ等の記録媒体から再生される映像等を出力するための可動部位とされている。表示部１０の内側面１０ａには、液晶画面といった画面１７、スピーカーといった音声出力部１８、等が設けられている。画面１７には、再生された映像が表示される。音声出力部１８には、再生された音声が出力される。また、内側面１０ａには、二つ折り保持手段用の溝部５１も形成されている。この溝部５１は、長手方向ＤＲ１の両端部となる側縁部３３，３３に繋がっている。
【００２３】
本体部２の支持部２０は、ある物の上に載置され表示部１０を支持する部位とされ、表示部１０の動作を制御する。支持部２０は、プレイヤー全体の制御部、記録媒体の再生部、表示部１０への信号送出部、記録媒体の蓋２７、各種操作ボタン、等が設けられている。蓋開き操作ボタンが操作されると、内側面２０ａに設けられた蓋２７が開き、記録媒体を出し入れすることができる。また、内側面２０ａには、二つ折り保持手段用の溝部５２も形成されている。この溝部５２は、長手方向ＤＲ１の両端部となる側縁部３３，３３に繋がっている。
【００２４】
図２及び図３（ａ），（ｂ）に例示するリモコン４０は、本体部２を操作するための操作面４１を表面４０ａに有している。操作面４１には、電源キーを含む複数の操作キー４１ａが配置され、電池４２ａを出し入れするための蓋４２が取り付けられている。この操作面４１とは反対側の裏面４０ｂには、連結部材５４の挿入部５４ｃを長手方向ＤＲ１へのスライド可能に挿入させる溝部５３が形成されている。
【００２５】
本プレイヤー１は、二つ折り状態の本体部２とリモコン４０とを長手方向ＤＲ１へのスライド可能に連結する連結部材５４を備えている。この連結部材５４と溝部５１，５２，５３とは、二つ折り保持手段５０を構成する。
【００２６】
図４（ａ），（ｂ）に例示するように、連結部材５４は、二つ折り状態の本体部２における表示部１０と支持部２０とに挟まれる連絡部５４ｄを中心として、本体部２側の表示部１０側となる挿入部（第一の接続部材側スライド構造）５４ａ、本体部２側の支持部２０側となる挿入部（第二の接続部材側スライド構造）５４ｂ、リモコン４０側となる挿入部（第三の接続部材側スライド構造）５４ｃ、を有している。図２（ｂ）の例では、プレイヤー１に複数の連結部材５４が設けられていることが示されている。
【００２７】
表示部側の挿入部５４ａは、表示部１０側へ延出した挿入基部５４ａ１と、この挿入基部５４ａ１の先端縁部となる上縁部からリモコン４０側へ延出した折曲部５４ａ２とを有する断面フック形状とされている。支持部側の挿入部５４ｂは、支持部２０側へ延出した挿入基部５４ｂ１と、この挿入基部５４ｂ１の先端縁部となる下上縁部からリモコン４０側へ延出した折曲部５４ｂ２とを有する断面フック形状とされている。リモコン側の挿入部５４ｃは、連結部材５４の長手方向ＤＲ１に対する幅が比較的狭い挿入基部５４ｃ１から先端縁部となる太幅部５４ｃ２にかけて徐々に太くなっている。
【００２８】
図２に例示するように、表示部１０に設けられた溝部（第一の本体部側スライド構造）５１は、断面形状を挿入基部５４ａ１に合わせて上方へ凹んだ溝基部５１ａと、断面形状を折曲部５４ａ２に合わせてリモコン４０側へ凹んだ抜け止め部５１ｂとを有している。支持部２０に設けられた溝部（第二の本体部側スライド構造）５２は、断面形状を挿入基部５４ｂ１に合わせて下方へ凹んだ溝基部５２ａと、断面形状を折曲部５４ｂ２に合わせてリモコン４０側へ凹んだ抜け止め部５２ｂとを有している。リモコン４０に設けられた溝部（リモコン側スライド構造）５３は、断面形状を挿入部５４ｃに合わせて、長手方向ＤＲ１に対する幅が比較的狭い溝基部５３ａから最も深い太幅部５３ｂにかけて徐々に拡がっている。
【００２９】
表示部１０に形成された溝部５１に挿入部５４ａが挿入されると、表示部１０と連結部材５４とがスライド可能に接続される。支持部２０に形成された溝部５２に挿入部５４ｂが挿入されると、支持部２０と連結部材５４とがスライド可能に接続される。リモコン４０に形成された溝部５３に挿入部５４ｃが挿入されると、リモコン４０と連結部材５４とがスライド可能に接続される。従って、二つ折り状態の本体部２とリモコン４０とが連結部材５４により長手方向ＤＲ１へスライド可能に連結される。
なお、表示部１０や支持部２０やリモコン４０から連結部材５４が簡単に脱落しないように、連結部材５４や溝部５１，５２，５３にストッパ構造を形成してもよい。
【００３０】
（３）リモコン装着方法、並びに、電子機器の作用及び効果：
次に、図１〜４を参照して、本プレイヤー１のリモコン装着方法の一例を説明する。図２（ｂ）に示ように、リモコン４０に対して２つの連結部材５４がスライド可能に接続されているものとする。
まず、本体部２を閉じた状態にする。この状態で、図２（ｂ）に示す連結部材５４，５４をそれぞれ脱落しない範囲で長手方向ＤＲ１の両外側へ引き出す。次に、一方の連結部材５４について、溝部５１に挿入部５４ａを挿入し溝部５２に挿入部５４ｂを挿入して、長手方向ＤＲ１へスライドさせていく。さらに、他方の連結部材５４について、溝部５１に挿入部５４ａを挿入し溝部５２に挿入部５４ｂを挿入して、長手方向ＤＲ１へスライドさせていく。すると、図１（ａ）に示すように、本体部２の開閉側縁部３２にリモコン４０が装着される。
【００３１】
すなわち、リモコン４０の装着に起因して、本体部２が二つ折り状態に保持される。従って、本態様は、二つ折り可能な本体部２が不用意に開くことを抑制することができ、利便性が向上する。また、本体部２の開閉側縁部３２が保持されるので、本体部２が不用意に開くことをより確実に抑制することができる。さらに、連結部材５４という簡易な手段で本体部２が不用意に開くことを抑制することができる。
【００３２】
（４）変形例：
図５（ａ）は、変形例に係るリモコン４０の外観を示す斜視図である。図５（ｂ）は、変形例に係るプレイヤー１の側面を示す側面図である。以下、上述した構成要素は、同じ符号を付して説明を省略する。
本プレイヤー１のリモコン４０は、二つ折り状態の本体部２に装着されたときに操作面４１が隠れる。
【００３３】
本リモコン４０は、操作面に４１に、連結部材５４の挿入部５４ｃを長手方向ＤＲ１へのスライド可能に挿入させる溝部５３が形成されている。電池の蓋については、裏面４０ｂに設けるとよい。
連結部材５４をスライド可能に接続したリモコン４０の操作面４１を二つ折り状態の本体部２に向けるようにして、溝部５１に挿入部５４ａを挿入し溝部５２に挿入部５４ｂを挿入して連結部材５４を長手方向ＤＲ１へスライドさせていくと、本体部２の開閉側縁部３２にリモコン４０が装着される。このとき、図５（ｂ）に示すように、操作面４１は、二つ折り状態の本体部２に向いており、本体部２に接触して隠れる。従って、本態様は、簡易な構成で本体部２に装着されたリモコン４０が不用意に操作されることを抑制することができる。
【００３４】
図６（ａ）は、別の変形例に係るプレイヤー１の外観を例示する斜視図である。図６（ｂ）は、リモコン４０を例示する側面図である。図７は、プレイヤー１の要部を例示する側面図である。
本プレイヤー１のリモコン４０も、二つ折り状態の本体部２に装着されたときに操作面４１が隠れる。また、本プレイヤー１には、連結部材５４が設けられていない。本プレイヤー１の開閉側縁部３２には、リモコン４０をスライド可能に収容する溝部６０が形成されている。
【００３５】
リモコン４０は、裏面４０ｂに長手方向ＤＲ１に沿った溝部４３が形成されている。この溝部４３は、長手方向ＤＲ１に対する幅が比較的狭い細幅部４３ａから最も深い太幅部４３ｂにかけて徐々に拡がっている。裏面４０ｂに溝部４３が設けられることにより、表示部１０側の挿入部（第一のリモコン側スライド構造）４３ｃと支持部２０側の挿入部（第二のリモコン側スライド構造）４３ｄとが形成されている。
このリモコンの溝部４３と本体部の溝部６０とは、二つ折り保持手段５０を構成する。
【００３６】
表示部１０に設けられた溝部６０は、断面形状をリモコン４０の一部分に合わせて上方へ凹んだ溝基部６１ａと、断面形状を挿入部４３ｃに合わせてリモコン４０側へ凹んだ抜け止め部（第一の本体部側スライド構造）６１ｂとを有している。支持部２０に設けられた溝部６０は、断面形状をリモコン４０の別の一部分に合わせて下方へ凹んだ溝基部６２ａと、断面形状を挿入部４３ｄに合わせてリモコン４０側へ凹んだ抜け止め部（第二の本体部側スライド構造）６２ｂとを有している。抜け止め部６１ｂ，６２ｂは、リモコン４０の長手方向ＤＲ１に対する幅が比較的狭い細幅部６１ｃ，６２ｃから最も深い太幅部６１ｄ，６２ｄにかけて徐々に拡がっている。
【００３７】
本体部２を閉じた状態とし、リモコン４０について、抜け止め部６１ｂに挿入部４３ｃを挿入し抜け止め部６２ｂに挿入部４３ｄを挿入して、長手方向ＤＲ１へスライドさせていくと、図６（ａ）に示すように、本体部２の開閉側縁部３２にリモコン４０が装着される。
すなわち、リモコン４０の装着に起因して、本体部２が二つ折り状態に保持される。従って、本態様は、連結部材が無くても二つ折り可能な本体部２が不用意に開くことを抑制することができ、利便性が向上するうえ、コストダウンを図ることができる。また、本体部２に装着されたリモコン４０が不用意に操作されることを抑制することができる。
【００３８】
一方、図８（ａ）〜（ｃ）及び図９に示すように、本体部の開閉側縁部３２をリモコン４０で挟んでもよい。図８（ａ）は、別の変形例に係るプレイヤー１の外観を示す斜視図である。図８（ｂ）は、リモコン４０を示す側面図である。図９は、プレイヤー１の要部を示す側面図である。
リモコン４０は、操作面４１に長手方向ＤＲ１に沿った溝部４４が形成されている。この溝部４４は、長手方向ＤＲ１に対する幅が比較的狭い細幅部４４ａから最も深い太幅部４４ｂにかけて徐々に拡がっている。裏面４０ｂに溝部４４が設けられることにより、表示部１０側の挿入部（第一のリモコン側スライド構造）４４ｃと支持部２０側の挿入部（第二のリモコン側スライド構造）４４ｄとが形成されている。
【００３９】
表示部１０の開閉側縁部３２の外側面１０ｂには、断面形状を挿入部４４ｃに合わせて内側面１０ａ側に凹んだ溝部７１が形成されている。溝部７１は、最も開閉側縁部３２側の凸部７１ａから最も軸側縁部３１側の凹部７１ｂまで徐々に深くされている。支持部２０の開閉側縁部３２の外側面２０ｂには、断面形状を挿入部４４ｄに合わせて内側面２０ａ側に凹んだ溝部７２が形成されている。溝部７２は、最も開閉側縁部３２側の凸部７２ａから最も軸側縁部３１側の凹部７２ｂまで徐々に深くされている。
この本体部の溝部７１，７２とリモコンの溝部４４とは、二つ折り保持手段５０を構成する。
【００４０】
本体部２を閉じた状態とし、開閉側縁部３２をリモコンの溝部４４に挿入するようにしてリモコン４０を長手方向ＤＲ１へスライドさせていくと、図８（ａ）に示すように、本体部２の開閉側縁部３２にリモコン４０が装着される。
すなわち、リモコン４０の装着に起因して、本体部２が二つ折り状態に保持される。従って、本態様は、連結部材が無くても二つ折り可能な本体部２が不用意に開くことを抑制することができ、利便性が向上するうえ、コストダウンを図ることができる。また、本体部２に装着されたリモコン４０が不用意に操作されることを抑制することができる。本態様は、図６（ａ）で示した態様と比べて、リモコンを大きくすることができ、リモコンの強度を向上させることができる。
【００４１】
また、図８（ｃ）に示すように、裏面４０ｂに溝部４４を形成してもよい。この場合、リモコン装着時に操作面４１が外側を向くことになるものの、操作面４１に溝部４４が無いので、図８（ｂ）で示した態様と比べてリモコン４０の外観が向上する。
【００４２】
図１０（ａ）は、別の変形例に係るプレイヤー１の外観を示す斜視図である。図１０（ｂ）は、プレイヤー１の要部を示す側面図である。図１１は、カバー部材５６の要部を示す斜視図である。
本プレイヤー１は、連結部材５４の代わりにカバー部材５６が設けられている。カバー部材５６は、長手方向ＤＲ１へスライド可能にリモコン４０を収容するリモコン収容部５７を有している。表示部１０には、図９で示したような溝部７１が形成されている。支持部２０には、図９で示したような溝部７２が形成されている。
【００４３】
カバー部材５６は、正面側となる基部５６ａを中心として、表示部１０側の縁部から本体部２側へ延出した延出部５６ｂ１、支持部２０側の縁部から本体部２側へ延出した延出部５６ｂ２、前記延出部５６ｂ１の先端縁部から支持部２０側へ延出した挿入部（第一の接続部材側スライド構造）５６ｃ１、前記延出部５６ｂ２の先端縁部から表示部１０側へ延出した挿入部（第二の接続部材側スライド構造）５６ｃ２、を有している。これにより、基部５６ａと挿入部５６ｃ１，５６ｃ２の間であって表示部側の延出部５６ｂ１と支持部側の延出部５６ｂ２の間がリモコン収容部５７とされている。このリモコン収容部５７に繋がる溝は、断面形状を本体部の開閉側縁部３２に合わせて、長手方向ＤＲ１に対する幅が比較的狭い細幅部５６ｄ１，５６ｄ２から最も深い太幅部５６ｅ１，５６ｅ２にかけて徐々に拡がっている。
上記延出部５６ｂ１，延出部５６ｂ２と本体部の溝部７１，７２とは、二つ折り保持手段５０を構成し、リモコン収容部５７にリモコン４０を収容した状態で二つ折り状態の本体部２における表示部１０と支持部２０とに接続することにより本体部２を二つ折り状態に保持する。
【００４４】
本体部２を閉じた状態とし、リモコン収容部５７にリモコン４０を収容して、開閉側縁部３２を延出部５６ｂ１，延出部５６ｂ２間に挿入するようにしてリモコン４０を長手方向ＤＲ１へスライドさせていくと、図１０（ａ）に示すように、本体部２の開閉側縁部３２にリモコン４０が装着される。
すなわち、リモコン４０の装着に起因して、本体部２が二つ折り状態に保持される。このとき、リモコンの操作面４１が隠れるので、リモコン４０が不用意に操作されることを抑制することができる。本態様は、リモコン４０を本体部２や連結部材５４に接続するための特別な形状を不要にすることができる。
【００４５】
図１２は、変形例に係るプレイヤー１の外観を示す斜視図である。本プレイヤー１は、開閉側縁部３２ではなく、軸側縁部３１と開閉側縁部３２とを結ぶ側縁部３３にリモコン４０が装着される。図１２に示すプレイヤー１は、正面から見て右側にリモコン４０が装着されるが、左側にリモコン４０が装着されてもよいし、両側の側縁部３３に対してリモコン４０が着脱可能とされてもよい。さらに、開閉側縁部３２にもリモコン４０が着脱可能とされてもよい。
【００４６】
なお、リモコンの装着時に操作面が隠れるのは必須ではなく、電子機器本体部とリモコンとが直接又は間接的にスライド可能に接続されるのも必須ではない。
むろん、従属請求項に係る構成要件を有しておらず独立請求項に係る構成要件のみからなる電子機器、リモコン装着方法、等でも、上述した基本的な作用、効果が得られる。
【００４７】
以上説明したように、本発明によると、種々の態様により、二つ折り可能な本体部を有する利便性の良い電子機器等の技術を提供することができる。
【００４８】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
１…プレイヤー（電子機器、表示装置）、２…本体部（電子機器本体部）、
１０…表示部（第一部位）、１０ａ…内側面、１０ｂ…外側面、
１７…画面、１８…音声出力部、
２０…支持部（第二部位）、２０ａ…内側面、２０ｂ…外側面、
２７…蓋、
３０…ヒンジ機構、
３１…軸側縁部、３２…開閉側縁部、３３…側縁部、
４０…リモコン、４０ａ…表面、４０ｂ…裏面、
４１…操作面、４１ａ…操作キー、４２…蓋、４２ａ…電池、
４３，４４…溝部、４３ａ，４４ａ…細幅部、４３ｂ，４４ｂ…太幅部、
４３ｃ，４３ｄ，４４ｃ，４４ｄ…挿入部、
５０…二つ折り保持手段、
５１，５２，５３…溝部、
５１ａ，５２ａ，５３ａ…溝基部、５１ｂ，５２ｂ…抜け止め部、５３ｂ…太幅部、
５４…連結部材、
５４ａ，５４ｂ，５４ｃ…挿入部、
５４ａ１，５４ｂ１，５４ｃ１…挿入基部、５４ａ２，５４ｂ２…折曲部、
５４ｃ２…太幅部、５４ｄ…連絡部、
５６…カバー部材、
５６ａ…基部、５６ｂ１，５６ｂ２…延出部、５６ｃ１，５６ｃ２…挿入部、
５６ｄ１，５６ｄ２…細幅部、５６ｅ１，５６ｅ２…太幅部、
５７…リモコン収容部、
６０…溝部、６１ａ，６２ａ…溝基部、６１ｂ，６２ｂ…抜け止め部、
６１ｃ，６２ｃ…細幅部、６１ｄ，６２ｄ…太幅部、
７１，７２…溝部、７１ａ，７２ａ…凸部、７１ｂ，７２ｂ…凹部、
ＡＸ１…回転軸、ＤＲ１…長手方向。
【図１】
2012198952.tif 000003
【図２】
2012198952.tif 000004
【図３】
2012198952.tif 000005
【図４】
2012198952.tif 000006
【図５】
2012198952.tif 000007
【図６】
2012198952.tif 000008
【図７】
2012198952.tif 000009
【図８】
2012198952.tif 000010
【図９】
2012198952.tif 000011
【図１０】
2012198952.tif 000012
【図１１】
2012198952.tif 000013
【図１２】
2012198952.tif 000014